(57)【特許請求の範囲】
【請求項１】
冷蔵室内に配置され、前後方向にスライド可能な野菜ケースおよび果物ケースの少なくともいずれかと、
前記野菜ケースおよび果物ケースの少なくともいずれかの上方を覆うための上面部材と、を備え、
前記野菜ケースおよび果物ケースの少なくともいずれかの側部の上端には、水平方向の第１のリブが形成され、当該第１のリブの下方となる前記側部には、水平方向の第２のリブが形成され、
前記冷蔵室の側壁には、前記野菜ケースおよび果物ケースの少なくともいずれかの前記第２のリブを下方から支持してスライドさせるための第１の凸部と、前記第１のリブの上面に対向する第２の凸部と、上面が前記第１のリブの下面と対向し、下面が前記第２のリブの上面と対向して、前記第１のリブと前記第２のリブとの間の前記側部を覆う、第３の凸部と、が形成される、冷蔵庫。
【請求項２】
前記第１のリブの水平方向長さが、前記第１のリブの上面と前記第２の凸部の下面との隙間の距離より長い、請求項１に記載の冷蔵庫。
【請求項３】
前記上面部材の前部には、前記野菜ケースおよび果物ケースの少なくともいずれかが閉じられたときに、前記上面部材の前部と前記野菜ケースおよび果物ケースの少なくともいずれかの前部との隙間を塞ぐためのパッキンが取り付けられる、請求項１から２のいずれか１項に記載の冷蔵庫。
【請求項４】
前記冷蔵室を構成するための内箱と、
前記内箱の側面に取付けられるガイドパネルと、を備え、
前記第１の凸部及び第２の凸部は、前記ガイドパネルに形成されている、請求項１から３のいずれか１項に記載の冷蔵庫。
【発明の詳細な説明】
【技術分野】
【０００１】
本発明は、野菜ケースを有する冷蔵庫の技術に関し、特に冷蔵室内に野菜ケースを内包する冷蔵庫の技術に関する。
【背景技術】
【０００２】
従来から、野菜室を有する冷蔵庫が知れられている。たとえば、特開２０００−１４６４０５号公報（特許文献１）によると、野菜室に野菜ケースを設置し、前記野菜ケースには隔壁にて各々独立した独立部屋を設け、上記野菜室のコーナ部またはその近くの上方に野菜室冷気吐き出し口を設け、上記野菜室冷気吐き出し口を設けた側と同じ側の上記野菜室のコーナ部またはその近くの下方に野菜室冷気戻り口を設けてなるものである。
【０００３】
さらに近年、冷蔵室内に野菜ケースを内包する冷蔵庫が提案されている。たとえば、特開２００９−５２７７４号公報（特許文献２）によると、断熱箱本体の最上部に冷蔵室を配置するとともに前記冷蔵室内の下部に野菜容器および低温室を配設し、前記冷蔵室の下方には断熱仕切壁を介して冷却貯蔵室と製氷室とを縦仕切板で区画して併置し、前記冷却貯蔵室と製氷室に隣接する最下方には本体全幅に亙る引出し扉式の冷凍室を配置することで本体内を４区画に分割する。
【先行技術文献】
【特許文献】
【０００４】
【特許文献１】特開２０００−１４６４０５号公報
【特許文献２】特開２００９−５２７７４号公報
【発明の概要】
【発明が解決しようとする課題】
【０００５】
しかしながら、冷蔵室内に配置される野菜ケースまたは果物ケースに関しては、独立した野菜室と比較して、冷蔵室内の冷気が野菜ケースまたは果物ケース内に入りやすく、野菜を新鮮なままで保存することが難しい。そこで、発明の目的は、冷蔵室内の冷気が野菜ケースまたは果物ケース内に入りにくい冷蔵庫を提供することにある。
【課題を解決するための手段】
【０００６】
この発明のある態様に従うと、冷蔵室を構成するための内箱と、前記冷蔵室内に配置され、前後方向にスライド可能な野菜ケースまたは果物ケースと、前記野菜ケースまたは果物ケースの上方を覆うための上面部材と、を備える冷蔵庫が提供される。前記内箱の内側面に、前記野菜ケースまたは果物ケースの側部の上方を覆うための凸部が形成される。
【０００７】
好ましくは、前記野菜ケースまたは果物ケースの側部の上端に水平方向のリブが形成される。前記リブの上面が前記凸部の下面と対向する。
【０００８】
好ましくは、前記リブの水平方向長さが、前記リブの上面と前記凸部の下面との隙間の距離より長い。
【０００９】
好ましくは、前記上面部材の前部には、前記野菜ケースまたは果物ケースが閉じられたときに、前記上面部材の前部と前記野菜ケースまたは果物ケースの前部との隙間を塞ぐためのパッキンが取り付けられる。
【００１０】
この発明の別の局面に従うと、冷蔵室を構成するための内箱と、前記冷蔵室内に配置され、前後方向にスライド可能な野菜ケースまたは果物ケースと、前記野菜ケースまたは果物ケースの上方を覆うための上面部材と、を備える冷蔵庫が提供される。前記内箱は、前記野菜ケースまたは果物ケースの前後方向へのスライドをガイドするための第１の凸部と、前記野菜ケースまたは果物ケースの側部の上方を覆うための第２の凸部と、を有するガイドパネルを含む。
【発明の効果】
【００１１】
以上のように、この発明によれば、冷蔵室内の冷気が野菜ケースまたは果物ケース内に入りにくい冷蔵庫が提供される。
【図面の簡単な説明】
【００１２】
【図１】本実施の形態にかかる冷蔵庫１００の全体構成を示す正面断面図である。
【図２】本実施の形態にかかる冷蔵庫１００の全体構成を示す側面断面図である。
【図３】本実施の形態にかかる冷気の流れを示すブロック図である。
【図４】本実施の形態にかかる冷蔵室１１０内の構成を示す正面図である。
【図５】本実施の形態にかかる冷蔵室１１０内の構成を示す正面断面図である。
【図６】本実施の形態にかかる冷蔵室１１０内の構成を示す側面断面図である。
【図７】本実施の形態にかかる野菜ケース１１１の上前方斜視図と下前方斜視図である。
【図８】本実施の形態にかかる果物ケース１１２の上前方斜視図と下前方斜視図である。
【図９】本実施の形態にかかる仕切り棚１１３の上前方斜視図と下前方斜視図である。
【図１０】本実施の形態にかかるガイドパネル１１５Ｒの上前方斜視図である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜全体構成＞
【００１４】
まず、本実施の形態にかかる冷蔵庫１００の全体構成について説明する。図１は、本実施の形態にかかる冷蔵庫１００の全体構成を示す正面断面図である。図２は、本実施の形態にかかる冷蔵庫１００の全体構成を示す側面断面図である。
【００１５】
図１および図２を参照して、冷蔵庫１００は、上段に冷蔵室１１０、中段左側に製氷室１２０、中段右側に上冷凍室１３０、下段に下冷凍室１４０を備えている。冷蔵室１１０には、図示しない回動式の冷蔵室扉が設けられている。製氷室１２０には、引き出し式の扉が設けられている。上冷凍室１３０にも、引き出し式の扉が設けられている。下冷凍室１４０にも、引き出し式の扉が設けられている。
【００１６】
冷蔵室１１０は、内箱１１０Ｘによって構成される。冷蔵室１１０内には、上から順に、主に、複数の冷蔵用の棚１１０Ａ，１１０Ｂ，１１０Ｃ，１１０Ｄと、チルドケース１１４と、仕切り棚１１３と、果物ケース１１２と、野菜ケース１１１とが配置されている。
【００１７】
複数の冷蔵用の棚１１０Ａ，１１０Ｂ，１１０Ｃ，１１０Ｄの後方にはシャワーダクト１０３が配置される。シャワーダクト１０３には、複数の吹き出し口１０３Ａ，１０３Ｂ，１０３Ｃ，１０３Ｄ，１０３Ｅが上下方向に並んで形成されている。後述するように、吹き出し口１０３Ａ，１０３Ｂ，１０３Ｃ，１０３Ｄ，１０３Ｅからは、蒸発器１５１によって冷やされた冷気が冷蔵室１１０内に吹き出す。
【００１８】
野菜ケース１１１と、果物ケース１１２と、チルドケース１１４とは、内箱１１０Ｘに対して、前後方向にスライド可能である。たとえば、ユーザは、野菜ケース１１１を前方に引き出して、野菜を野菜ケース１１１に出し入れできる。また、ユーザは、果物ケース１１２を前方に引き出して、果物を果物ケース１１２に出し入れできる。また、ユーザは、チルドケース１１４を前方に引き出して、肉や乳製品をチルドケース１１４に出し入れできる。
【００１９】
下冷凍室１４０の後方には、蒸発器１５１や、蒸発器１５１を除霜するためのガラス管ヒータ１５９や、蒸発器１５１からの冷気を上冷凍室１３０などに送るための冷却ファン１５２が配置される。また、冷蔵室１１０の後方には、冷蔵室１１０に向かう冷気の流れをＯＮ／ＯＦＦするための冷蔵室ダンパ１５３や、吹き出し口１０３Ａ，１０３Ｂ，１０３Ｃ，１０３Ｄ，１０３Ｅを介して冷蔵室１１０内に冷気を送り込むための冷蔵室ファン１５４が配置されている。
【００２０】
冷蔵庫１００は、冷凍サイクルを有する。以下では、図１〜図３を参照しながら、本実施の形態にかかる冷凍サイクルについて説明する。なお、図３は、本実施の形態にかかる冷気の流れを示すブロック図である。
【００２１】
本実施の形態にかかる冷凍サイクルは、冷媒が流通する冷媒管を介して、圧縮機１６１、図示しない凝縮器、図示しないキャピラリーチューブと、蒸発器１５１などから構成されている。そして、冷蔵庫１００は、冷凍サイクル２０の運転の制御を行うための制御部１６０を有する。制御部１６０は、圧縮機１６１を駆動させることによって冷凍サイクルを運転させたり、ダンパ１５３を開閉したり、冷却ファン１５２，１５４を駆動させたりする。
【００２２】
次に、冷気の流路について説明する。蒸発器１５１によって冷やされた冷気は、冷却ファン１５２によって製氷室１２０・上冷凍室１３０・下冷凍室１４０に送られる。冷気は、ダンパ１５３が解放されているときは、冷蔵室ファン１５４によって、シャワーダクト１０３内を上昇しながら、吹き出し口１０３Ａ，１０３Ｂ，１０３Ｃ，１０３Ｄ，１０３Ｅから冷蔵室１１０内へ送り込まれる。冷蔵室１１０内に送られた冷気は、上方から下方へと降下しながら、冷蔵室１１０内の食料や飲料などを冷やして、戻りダクト１０４から蒸発器１５１へと帰ってくる。
【００２３】
より詳細には、本実施の形態においては、冷蔵室１１０内に送られた冷気は、冷蔵室１１０の後上部から、冷蔵室１１０の前部すなわち扉の裏に沿って下方へと移動し、チルドケース１１４の前方、果物ケース１１２の前方、野菜ケース１１１の前方、野菜ケース１１１の下方を通過して、戻りダクト１０４へと入っていく。そして、後述するように、野菜ケース１１１の端部の隙間および果物ケース１１２の端部の隙間が小さいため、冷蔵室１１０内を流れる冷気が野菜ケース１１１および果物ケース１１２内の野菜や果物に直接当たりにくくなる。
【００２４】
＜冷蔵室１１０内の詳細な説明＞
次に、本実施の形態にかかる冷蔵室１１０内の構成について詳細に説明する。なお、図４は、本実施の形態にかかる冷蔵室１１０内の構成を示す正面図である。図５は、本実施の形態にかかる冷蔵室１１０内の構成を示す正面断面図である。図６は、本実施の形態にかかる冷蔵室１１０内の構成を示す側面断面図である。
【００２５】
図４から図６を参照して、本実施の形態においては、冷蔵室１１０の最下段には、野菜ケース１１１が配置される。野菜ケース１１１の上方には、果物ケース１１２が配置される。果物ケース１１２の上方には、仕切り棚１１３を挟んで、チルドケース１１４が配置される。そして、内箱１１０Ｘの下部の側面、すなわち、野菜ケース１１１、果物ケース１１２、仕切り棚１１３、チルドケース１１４の側方には、それらを保持したり、それらの前後方向へのスライドをガイドしたり、それらのケースの密閉性を向上させるためのガイドパネル１１５Ｒ，１１５Ｌが嵌めこまれている。
【００２６】
以下、野菜ケース１１１、果物ケース１１２、仕切り棚１１３、チルドケース１１４、ガイドパネル１１５Ｒ，１１５Ｌの各々について詳細に説明する。
【００２７】
まず、本実施の形態にかかる野菜ケース１１１について説明する。図７は、本実施の形態にかかる野菜ケース１１１の上前方斜視図と下前方斜視図である。図４，５，６，７を参照して、野菜ケース１１１は、底面１１１Ｓと、前面１１１Ｆと、右面１１１Ｒと、左面１１１Ｌと、後面１１１Ｔとから構成される。
【００２８】
少なくとも右面１１１Ｒと左面１１１Ｌの上下略中央部には、スライドリブ１１１Ａが形成されている。スライドリブ１１１Ａは、後述するガイドパネル１１５Ｒ，１１５Ｌの第１のリブ１１５Ａに保持される。好ましくは、スライドリブ１１１Ａは、ガイドパネル１１５Ｒ，１１５Ｌの第１のリブ１１５Ａと第２のリブ１１５Ｂとに挟まれる。
【００２９】
より詳細には、スライドリブ１１１Ａの下面は、第１のリブ１１５Ａの上面と対向し、その隙間の距離は４ｍｍ以下であることが好ましい。同様に、スライドリブ１１１Ａの上面は、第２のリブ１１５Ｂの下面と対向し、その隙間の距離は４ｍｍ以下であることが好ましい。
【００３０】
また、右面１１１Ｒと左面１１１Ｌと後面１１１Ｔの上端部には、水平方向の外側へ密閉リブ１１１Ｂが形成されている。密閉リブ１１１Ｂは、後述するガイドパネル１１５Ｒ，１１５Ｌの第２のリブ１１５Ｂと第３のリブ１１５Ｃとに挟まれる。
【００３１】
より詳細には、密閉リブ１１１Ｂの下面は、第２のリブ１１５Ｂの上面と対向し、その隙間の距離は４ｍｍ以下であることが好ましい。同様に、密閉リブ１１１Ｂの上面は、第３のリブ１１５Ｃの下面と対向し、その隙間の距離は４ｍｍ以下であることが好ましい。これによって、野菜ケース１１１の側部の上方が、第２のリブ１１５Ｂによって覆われることで、内箱の内側面との隙間が狭くなり冷気の流通が妨げられる。したがって、冷蔵室１１０内の冷気が野菜ケース１１１内に入り込みにくくなる。
【００３２】
なお、野菜ケース１１１の密閉リブ１１１Ｂの横幅が、密閉リブ１１１Ｂの上面と第３のリブ１１５Ｃの下面との隙間の距離よりも長く形成されている。これによって、冷蔵室１１０内の冷気が野菜ケース１１１内にさらに入り込みにくくなる。
【００３３】
次に、本実施の形態にかかる果物ケース１１２について説明する。図８は、本実施の形態にかかる果物ケース１１２の上前方斜視図と下前方斜視図である。図４，５，６，８を参照して、果物ケース１１２は、底面１１２Ｓと、前面１１２Ｆと、右面１１２Ｒと、左面１１２Ｌと、後面１１２Ｔとから構成される。
【００３４】
なお、本実施の形態においては、果物ケース１１２が、野菜ケース１１１の上方を覆う上面部材となる。換言すれば、果物ケース１１２の底面１１２Ｓの裏側が、野菜ケース１１１の上方を覆う上面となる。
【００３５】
右面１１２Ｒと左面１１２Ｌの上下略中央部には、スライドリブ１１２Ｃが形成されている。スライドリブ１１２Ｃは、後述するガイドパネル１１５Ｒ，１１５Ｌの第３のリブ１１５Ｃに保持される。好ましくは、スライドリブ１１２Ｃは、ガイドパネル１１５Ｒ，１１５Ｌの第３のリブ１１５Ｃと第４のリブ１１５Ｄとに挟まれる。
【００３６】
より詳細には、スライドリブ１１２Ｃの下面は、第３のリブ１１５Ｃの上面と対向し、その隙間の距離は４ｍｍ以下であることが好ましい。同様に、スライドリブ１１２Ｃの上面は、第４のリブ１１５Ｄの下面と対向し、その隙間の距離は４ｍｍ以下であることが好ましい。
【００３７】
また、右面１１２Ｒと左面１１２Ｌと後面１１２Ｔの上端部には、水平方向の外側へ密閉リブ１１２Ｄが形成されている。密閉リブ１１２Ｄは、後述するガイドパネル１１５Ｒ，１１５Ｌの第４のリブ１１５Ｄと第５のリブ１１５Ｅとに挟まれる。
【００３８】
より詳細には、密閉リブ１１２Ｄの下面は、第４のリブ１１５Ｄの上面と対向し、その隙間の距離は４ｍｍ以下であることが好ましい。同様に、密閉リブ１１２Ｄの上面は、第５のリブ１１５Ｅの下面と対向し、その隙間の距離は４ｍｍ以下であることが好ましい。これによって、果物ケース１１２の側部の上方が、第４のリブ１１５Ｄによって覆われることで、内箱の内側面との隙間が狭くなり冷気の流通が妨げられる。したがって、冷蔵室１１０内の冷気が果物ケース１１２内に入り込みにくくなる。
【００３９】
なお、果物ケース１１２の密閉リブ１１２Ｄの横幅が、密閉リブ１１２Ｄの上面と第５のリブ１１５Ｅの下面との隙間の距離よりも長く形成されている。これによって、冷蔵室１１０内の冷気が果物ケース１１２内にさらに入り込みにくくなる。
【００４０】
本実施の形態においては、底面１１２Ｓの前端部または、前面１１２Ｆの下端部に、左右方向に沿って、下方へ向けてパッキン１２４が取り付けられている。これによって、果物ケース１１２と野菜ケース１１１とが冷蔵室１１０にしまわれたときに、果物ケース１１２の前下端部と、野菜ケース１１１の前上端部との隙間を小さくすることができる。
【００４１】
次に、本実施の形態にかかる仕切り棚１１３について説明する。図９は、本実施の形態にかかる仕切り棚１１３の上前方斜視図と下前方斜視図である。図４，５，６，９を参照して、仕切り棚１１３は、下方から、後述するガイドパネル１１５Ｒ，１１５Ｌの第５のリブ１１５Ｅに保持される。
【００４２】
なお、本実施の形態においては、仕切り棚１１３が、果物ケース１１２の上方を覆う上面部材となる。換言すれば、仕切り棚１１３の裏側が、果物ケース１１２の上方を覆う上面となる。
【００４３】
次に、本実施の形態にかかるガイドパネル１１５Ｒ，１１５Ｌについて説明する。図１０は、本実施の形態にかかるガイドパネル１１５Ｒの上前方斜視図である。図４，５，６，１０を参照して、ガイドパネル１１５Ｒ，１１５Ｌは、内箱１１０Ｘの一部を構成するものであって、野菜ケース１１１と、果物ケース１１２と、仕切り棚１１３と、チルドケース１１４とを、前後方向にスライド可能に保持するものである。
【００４４】
より詳細には、ガイドパネル１１５Ｒは、前後方向に沿って、冷蔵室１１０の内側方向に向けて、第１のリブ１１５Ａと、第２のリブ１１５Ｂと、第３のリブ１１５Ｃと、第４のリブ１１５Ｄと、第５のリブ１１５Ｅと、第６のリブ１１５Ｆとが立設されている。なお、本実施の形態においては、チルドケース１１４の左方、かつ仕切り棚１１３の左部１１３Ｌの上面には、製氷のための給水タンクが配置されるため、左側のガイドパネル１１５Ｌには、第６のリブ１１５Ｆは不要である。
【００４５】
第１のリブ１１５Ａの上面には、野菜ケース１１１が前後方向にスライド可能に載置される。第２のリブ１１５Ｂの上面と第３のリブ１１５Ｃの下面は、野菜ケース１１１の密閉リブ１１１Ｂを挟み込む。第３のリブ１１５Ｃの上面には、果物ケース１１２が前後方向にスライド可能に載置される。第４のリブ１１５Ｄの上面と第５のリブ１１５Ｅの下面は、果物ケース１１２の密閉リブ１１２Ｄを挟み込む。第５のリブ１１５Ｅ上面には、仕切り棚１１３が前後方向にスライド可能に載置される。そして、第６のリブには、チルドケース１１４が前後方向にスライド可能に載置される。
【００４６】
より詳細には、本実施の形態にかかる内箱１１０Ｘは、たとえばＡＢＳ樹脂を真空成型することによって製造されている。一方、ガイドパネル１１５Ｌ，１１５Ｒに関しては、たとえばポリプロピレンを射出成型することによって製造されている。これによって、ガイドパネル１１５Ｌ，１１５Ｒは、第１〜第６のリブ１１５Ａ〜１１５Ｆの角部の精度を高めることができ、第１〜第６のリブ１１５Ａ〜１１５Ｅと野菜ケース１１１および果物ケース１１２との隙間を小さくすることが可能になる。なお、野菜ケース１１１、果物ケース１１２などは、たとえばポリスチレンなどで構成されているおり、ガイドパネル１１５Ｌ，１１５Ｒとこすれて粉が出ることも防止できる。
【００４７】
また、本実施の形態においては、図６に示すように、シャワーダクト１０３の下部は、前方に突設されて突設部１９０を形成している。突設部１９０は、野菜ケース１１１の後部の上方まで達している。そして、野菜ケース１１１の後面１１１Ｔの上端部に形成された密閉リブ１１１Ｂの上面は、突設部１９０の下面と対向し、その隙間の距離は４ｍｍ以下であることが好ましい。これによって、野菜ケース１１１の後部の密閉性能がさらに向上する。
【００４８】
また、シャワーダクト１０３の下部の突設部１９０には、ＬＥＤライト１９１が配置されている。これによって、野菜ケース１１１内をより前方から照射することができるため影ができにくくなり、野菜ケース１１１内の野菜や果物などが新鮮にキレイに見える。また、突設部１９０内にＬＥＤライト１９１が配置されるため、ＬＥＤライト１９１が出っ張らない。これにより、ＬＥＤライト１９１に野菜ケース１１１内の貯蔵品が干渉させずに、ＬＥＤライトをより前方に配置することができる。なお、本実施の形態においては、ＬＥＤライト１９１の正面には、導光板１９２が取り付けられている。
【００４９】
さらに、図４および図７に示すように、野菜ケース１１１の前面１１１Ｆには、凹凸が形成されており、ＬＥＤライト１９１からの光が乱反射し、冷蔵庫１００の扉を開いたユーザから野菜ケース１１１および野菜ケース１１１内部の野菜や果物が新鮮にキレイに見える。
【００５０】
同様に、図４および図８に示すように、果物ケース１１２の前面１１２Ｆにも、凹凸が形成されており、野菜ケース１１１の後部のＬＥＤライト１９１からの光が乱反射し、冷蔵庫１００の扉を開いたユーザから果物ケース１１２および野菜ケース１１２内部の野菜や果物が新鮮にキレイに見える。
＜第２の実施の形態＞
【００５１】
第１の実施の形態においては、果物ケース１１２の底面１１２Ｓの前端部、あるいは前面１１２Ｆの下端部に、左右方向に沿って、下方へ向けてパッキン１２４が取り付けられていた。
【００５２】
本実施の形態においては、果物ケース１１２だけでなく、仕切り棚１１３の前端部にも、左右方向に沿って、下方へ向けてパッキンが取り付けられる。これによって、果物ケース１１２がしまわれたときに、仕切り棚１１３の前部と果物ケース１１２の前上端部との隙間も小さくすることができる。
【００５３】
なお、仕切り棚１１３だけにパッキンを取り付けてもよい。
【００５４】
あるいは、果物ケース１１２や仕切り棚１１３にパッキンを取り付けず、野菜ケース１１１や果物ケース１１２の隙間を防ぐための他の構成を採用してもよい。
＜第３の実施の形態＞
【００５５】
第１および第２の実施の形態においては、内箱１１０Ｘに、ガイドパネル１１５Ｌ，１１５Ｒをはめ込むものであった。
【００５６】
しかしながら、他の要因を考慮するか否かに関わらず、内箱１１０Ｘ自体を射出成型などによって角部の精度を高める方法で製造する場合には、内箱１１０Ｘに直接、第１のリブ１１５Ａ〜第６のリブ１１５Ｆを形成するものであってもよい。
＜第４の実施の形態＞
【００５７】
第１および第２の実施の形態においては、ガイドパネル１１５Ｌ，１１５Ｒの各々は、１つ成型部材であった。
【００５８】
しかしながら、ガイドパネルが２つ以上の部材であってもよい。この場合は、複数のガイドパネルを精度高く、また強固に接続する必要がある。
＜第５の実施の形態＞
【００５９】
第１から第４の実施の形態においては、冷蔵室１１０内に野菜ケース１１１と果物ケース１１２が設けられている。
【００６０】
しかしながら、野菜ケース１１１と果物ケース１１２の各々の個数は、２つ以上であってもよいし、いずれかが０個であってもよい。
＜第６の実施の形態＞
【００６１】
第１から第５の実施の形態においては、冷蔵室１１０の最下段に野菜ケース１１１と果物ケース１１２とが隣り合わせに設けられている。
【００６２】
しかしながら、野菜ケース１１１と果物ケース１１２とは、最下段でなくてもよいし、両者が離れて配置されてもよい。
＜第７の実施の形態＞
【００６３】
第１から第６の実施の形態においては、野菜ケース１１１の横幅と果物ケース１１２の横幅とが、冷蔵室１１０内の横幅と同じ程度に形成され、両者が上下に配置されるものであった。
【００６４】
しかしながら、野菜ケース１１１の横幅と果物ケース１１２の横幅とは、冷蔵室１１０内の横幅よりも小さくてもよく、たとえば、冷蔵室１１０の半分ぐらいの横幅であってもよい。この場合は、野菜ケース１１１や果物ケース１１２の側部の付近に、ガイドパネル１１５を取り付ける必要がある。そして、野菜ケース１１１と果物ケース１１２とは、左右方向に配置されてもよい。
＜第８の実施の形態＞
【００６５】
第１から第７の実施の形態においては、野菜ケース１１１と果物ケース１１２とは、冷蔵室１１０内のみに配置されている。
【００６６】
しかしながら、第２または第３の野菜ケース１１１あるいは第２または第３の果物ケース１１２が、冷蔵室１１０とは別の野菜室や果物室に構成されてもよい。
＜第９の実施の形態＞
【００６７】
第１から第８の実施の形態においては、野菜ケース１１１の密閉リブ１１１Ｂの横幅が、密閉リブ１１１Ｂの上面と第３のリブ１１５Ｃの下面との隙間の距離よりも長く形成されている。同様に、果物ケース１１２の密閉リブ１１２Ｄの横幅が、密閉リブ１１２Ｄの上面と第５のリブ１１５Ｅの下面との隙間の距離よりも長く形成されている。
【００６８】
しかしながら、密閉リブ１１１Ｂの上面と第３のリブ１１５Ｃの下面との隙間をさらに小さくするなどして、野菜ケース１１１の密閉リブ１１１Ｂの横幅を、密閉リブ１１１Ｂの上面と第３のリブ１１５Ｃの下面との隙間の距離よりも短く形成してもよいし、密閉リブ１１１Ｂを形成しない構成であってもよい。
【００６９】
同様に、密閉リブ１１２Ｄの上面と第５のリブ１１５Ｅの下面との隙間をさらに小さくするなどして、果物ケース１１２の密閉リブ１１２Ｄの横幅を、密閉リブ１１２Ｄの上面と第５のリブ１１５Ｅの下面との隙間の距離よりも短く形成してもよいし、密閉リブ１１２Ｂを形成しない構成であってもよい。
＜上記の複数の実施の形態のまとめ＞
【００７０】
上記の第１〜第９の実施の形態においては、冷蔵室１１０を構成するための内箱１１０Ｘと、冷蔵室１１０内に配置され、前後方向にスライド可能な野菜ケース１１１または果物ケース１１２と、野菜ケース１１１または果物ケース１１２の上方を覆うための上面部材１１２，１１３と、を備える冷蔵庫１００が提供される。内箱１１０Ｘの内側面に、野菜ケース１１１の側部の上方を覆うための凸部１１５Ｃ，１１５Ｅが形成される。
【００７１】
好ましくは、野菜ケース１１１または果物ケース１１２の側部の上端に水平方向のリブ１１１Ｂ，１１２Ｄが形成される。リブ１１１Ｂ，１１２Ｄの上面が凸部１１５Ｃ，１１５Ｅの下面と対向する。
【００７２】
好ましくは、リブ１１１Ｂ，１１２Ｄの水平方向長さが、リブ１１１Ｂ，１１２Ｄの上面と凸部１１５Ｃ，１１５Ｅの下面との隙間の距離より長い。
【００７３】
好ましくは、上面部材１１２，１１３の前部には、野菜ケース１１１または果物ケース１１２が閉じられたときに、上面部材１１２，１１３の前部と野菜ケース１１１または果物ケース１１２の前部との隙間を塞ぐためのパッキン１２４が取り付けられる。
【００７４】
また、好ましくは、野菜ケース１１１または果物ケース１１２の後方となる内箱の内側面またはシャワーダクト１０３には、前方に突設して、野菜ケース１１１または果物ケース１１２が閉じられたときに野菜ケース１１１または果物ケース１１２の後部の上方を覆う突設部１９０が形成される。
【００７５】
これらの構成により、野菜ケース１１１または果物ケース１１２が閉じられたときに、野菜ケース１１１または果物ケース１１２の両側部、前部、後部の上方が覆われるため、野菜ケース１１１または果物ケース１１２への冷気の流入を抑制することができる。
【００７６】
また、上記の第１〜９の実施の形態においては、冷蔵室１１０を構成するための内箱１１０Ｘと、冷蔵室１１０内に配置され、前後方向にスライド可能な野菜ケース１１１または果物ケース１１２と、野菜ケース１１１または果物ケース１１２の上方を覆うための上面部材１１２，１１３と、を備える冷蔵庫１００が提供される。内箱１１０Ｘは、野菜ケース１１１または果物ケース１１２の前後方向へのスライドをガイドするための第１の凸部１１５Ａ，１１５Ｃと、野菜ケース１１１の側部の上方を覆うための第２の凸部１１５Ｃ，１１５Ｅと、を有するガイドパネル１１５を含む。
【００７７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７８】
２０      ：冷凍サイクル
１００    ：冷蔵庫
１０３    ：シャワーダクト
１０３Ａ  ：吹き出し口
１０４    ：戻りダクト
１１０    ：冷蔵室
１１０Ａ  ：棚
１１０Ｘ  ：内箱
１１１    ：野菜ケース
１１１Ａ  ：スライドリブ
１１１Ｂ  ：密閉リブ
１１１Ｆ  ：前面
１１１Ｌ  ：左面
１１１Ｒ  ：右面
１１１Ｓ  ：底面
１１１Ｔ  ：後面
１１２    ：果物ケース
１１２Ｂ  ：密閉リブ
１１２Ｃ  ：スライドリブ
１１２Ｄ  ：密閉リブ
１１２Ｆ  ：前面
１１２Ｌ  ：左面
１１２Ｒ  ：右面
１１２Ｓ  ：底面
１１２Ｔ  ：後面
１１３    ：仕切り棚
１１３Ｌ  ：左部
１１４    ：チルドケース
１１５    ：ガイドパネル
１１５Ａ  ：第１のリブ
１１５Ｂ  ：第２のリブ
１１５Ｃ  ：第３のリブ
１１５Ｄ  ：第４のリブ
１１５Ｅ  ：第５のリブ
１１５Ｆ  ：第６のリブ
１１５Ｌ  ：ガイドパネル
１１５Ｒ  ：ガイドパネル
１２０    ：製氷室
１２４    ：パッキン
１３０    ：上冷凍室
１４０    ：下冷凍室
１５１    ：蒸発器
１５２    ：冷却ファン
１５３    ：冷蔵室ダンパ
１５４    ：冷蔵室ファン
１５９    ：ガラス管ヒータ
１６０    ：制御部
１６１    ：圧縮機
１９０    ：突設部
１９１    ：ＬＥＤライト
１９２    ：導光板
【図１】
0006749083.tif 000002
【図２】
0006749083.tif 000003
【図３】
0006749083.tif 000004
【図４】
0006749083.tif 000005
【図５】
0006749083.tif 000006
【図６】
0006749083.tif 000007
【図７】
0006749083.tif 000008
【図８】
0006749083.tif 000009
【図９】
0006749083.tif 000010
【図１０】
0006749083.tif 000011